(57)【要約】【課題】商品の登録操作のスピードを向上させることが可能なＰＯＳ装置を提供すること。【解決手段】商品登録の操作を複数人で分けてなされるよう複数配置される商品登録部１６，３６と、前記商品登録部に対応して、前記商品登録部で登録された商品の情報を表示するよう複数配置される表示部１２，３２と、前記商品登録部及び表示部を制御して、商品の登録処理を制御する制御部を備え、前記制御部は、前記複数の商品登録部によって別々に登録された商品につき、当該商品の情報を前記複数の表示部の少なくともいずれか１つの表示部に、登録に使用された前記商品登録部が区別できるようにしてまとめて表示して、かつまとめて支払処理を行うよう制御する。【選択図】図２
2014021730.tif 000002
【特許請求の範囲】
【請求項１】
商品登録の操作を複数人で分けてなされるよう複数配置される商品登録部と、
前記商品登録部に対応して、前記商品登録部で登録された商品の情報を表示するよう複数配置される表示部と、
前記商品登録部及び表示部を制御して、商品の登録処理を制御する制御部を備え、
前記制御部は、前記複数の商品登録部によって別々に登録された商品につき、当該商品の情報を前記複数の表示部の少なくともいずれか１つの表示部に、登録に使用された前記商品登録部が区別できるようにしてまとめて表示して、かつまとめて支払処理を行うよう制御する
ことを特徴とするＰＯＳ装置。
【請求項２】
前記商品登録部に対応するよう複数の入力操作部を備え、  
前記制御部は、前記複数の入力操作部のいずれか１つを、登録された商品の情報を修正する商品修飾操作を許可する許可操作部に設定し、他の入力操作部に商品修飾操作の入力があった場合に、当該許可操作部への許可入力を確認してから、当該商品修飾操作による処理を行うよう制御する
ことを特徴とする請求項１に記載のＰＯＳ装置。
【請求項３】
前記商品修飾操作は、商品の数量登録、商品の取消し、または商品の値割引の少なくともいずれか１つに対する操作である
ことを特徴とする請求項２に記載のＰＯＳ装置。
【請求項４】
前記商品登録部として、店員用の商品登録部と客用の商品登録部が配置され、
前記制御部は、前記複数の入力操作部の中で前記店員用の商品登録部に対応して配置される入力操作部を前記許可操作部に設定する
ことを特徴とする請求項２に記載のＰＯＳ装置。
【請求項５】
前記商品登録部は、バーコードスキャナである
ことを特徴とする請求項１に記載のＰＯＳ装置。
【請求項６】
前記商品登録部として、店員用の商品登録部と客用の商品登録部が配置され、
前記制御部は、前記店員用の商品登録部と客用の商品登録部の両方からの商品登録を受け付けるモードと、前記店員用の商品登録部からの商品登録のみ受け付けるモードを指示に応じて切り替える
ことを特徴とする請求項１に記載のＰＯＳ装置。
【請求項７】
商品登録の操作を複数人で分けてなされるよう複数配置される商品登録部と、前記商品登録部で登録された商品の情報を表示するよう前記商品登録部に対応して複数配置される表示部を備えるＰＯＳ装置を制御する制御方法において、
前記複数の商品登録部によって別々に登録された商品を、当該商品情報を前記複数の表示部の少なくともいずれか１つの表示部に、登録に使用された前記商品登録部が区別できるようにしてまとめて表示し、
当該複数の商品登録部によって別々に登録された商品をまとめて支払の処理を行う
ことを特徴とするＰＯＳ装置の制御方法。
【請求項８】
商品登録の操作を複数人で分けてなされるよう複数配置される商品登録部と、前記商品登録部で登録された商品の情報を表示するよう前記商品登録部に対応して複数配置される表示部を備えるＰＯＳ装置のコンピュータを制御するプログラムにおいて、
前記複数の商品登録部によって別々に登録された商品を、当該商品情報を前記複数の表示部の少なくともいずれか１つの表示部に、登録に使用された前記商品登録部が区別できるようにしてまとめて表示するステップと、
当該複数の商品登録部によって別々に登録された商品をまとめて支払の処理を行うステップを有する
ことを特徴とするプログラム。
【発明の詳細な説明】
【技術分野】
【０００１】
本発明は、ＰＯＳ装置に関するもので、特にＰＯＳ装置の商品登録処理に関する。
【背景技術】
【０００２】
ＰＯＳ（Point  of  Sales）システムは、スーパーマーケットや量販店等において広く普及している。ＰＯＳ装置は、顧客の支払処理がスムースに行われるよう、店内に十分な数が設置されるのが望ましいが、店舗の広さあるいは店員の確保や人件費の圧縮等の問題から、簡単ではない。そこで、従来、店員がスキャニング操作＆支払操作を行うレーンＰＯＳシステムの他に、近年は、客がスキャニング操作＆支払操作を行うセルフチェックアウトシステムや、店員がスキャニング操作を行い客が支払操作を行うセルフペイシステム等も普及して来ている。
【０００３】
また、1台のＰＯＳ装置を店員と客でシェアして利用するに適したＰＯＳ装置も提案されている（特許文献１）。
【先行技術文献】
【特許文献】
【０００４】
【特許文献１】特開２００９−１８７０７８号公報
【発明の概要】
【発明が解決しようとする課題】
【０００５】
ＰＯＳのレジでは、スキャナで商品を１点ずつ読込んで登録をさせなければならず、この読込み操作（商品の登録操作）が最も時間のかかる処理である。セルフチェックアウトシステム等を採用しても、商品を登録するスキャニング操作を短縮することはできない。
【０００６】
本願発明は、上記課題に鑑み、商品の登録操作のスピードを向上させることが可能なＰＯＳ装置を提供することを目的とする。
【課題を解決するための手段】
【０００７】
上記目的を達成するために、ＰＯＳ装置は、商品登録の操作を複数人で分けてなされるよう複数配置される商品登録部と、前記商品登録部に対応して、前記商品登録部で登録された商品の情報を表示するよう複数配置される表示部と、前記商品登録部及び表示部を制御して、商品の登録処理を制御する制御部を備え、前記制御部は、前記複数の商品登録部によって別々に登録された商品につき、当該商品の情報を前記複数の表示部の少なくともいずれか１つの表示部に、登録に使用された前記商品登録部が区別できるようにしてまとめて表示して、かつまとめて支払処理を行うよう制御する。
【発明の効果】
【０００８】
本発明によれば、商品の登録操作のスピードを向上させることが可能なＰＯＳ装置を提供することができる。
【図面の簡単な説明】
【０００９】
【図１】本発明のＰＯＳ装置を適用したＰＯＳシステムのハードウェア構成の概略を示すブロック図である。
【図２】店舗に設置されたＰＯＳ装置１の具体的な利用の様子を示す図である。
【図３】売上登録の全体処理の手順を説明するフローチャートである。
【図４】客のスキャナ利用の設定処理の手順を説明するフローチャートである。
【図５Ａ】店員側の商品登録ループの手順を説明するフローチャートである。
【図５Ｂ】店員側の商品登録ループの手順を説明するフローチャートである。
【図６】客側の商品登録ループの手順を説明するフローチャートである。
【図７】店員用の表示部と客用の表示部に表示される画面を並べて示す図である。
【発明を実施するための形態】
【００１０】
以下、図面に従って本発明の実施形態を説明する。図１は、本発明のＰＯＳ装置を適用したＰＯＳシステムのハードウェア構成の概略を示すブロック図である。
ＰＯＳシステムは、ＰＯＳ装置１とＰＯＳサーバ８０を備える。ＰＯＳ装置１は、ＰＯＳサーバ８０にネットワークで接続される。ＰＯＳサーバ８０は、ＰＯＳ装置１により登録された販売情報を一元管理する。また、ＰＯＳサーバ８０は、商品を識別するための商品コードや価格などを登録した商品マスタを管理する店舗サーバとしても機能する。
【００１１】
ＰＯＳ装置１は、チェッカユニット１０とキャッシャユニット７０とを有する。チェッカユニット１０は、購入された商品の登録処理が行われるユニットである。チェッカユニット１０は、ディスプレイＡ１２、タッチパネルＡ１４、固定スキャナＡ１６、ハンディスキャナ１８、多項目キーボード２０、スピーカ２２、ディスプレイＢ３２、タッチパネルＢ３４、固定スキャナＢ３６及びコンピュータ５０を有する。
【００１２】
ディスプレイＡ１２は、登録された商品の情報等を店員側に表示する店員用の表示部である。ディスプレイＡ１２は、例えばＬＣＤであって、画面が店員に向かうように配置される。ディスプレイＡ１２には、商品の情報として、登録された商品の名称、単価、数量、および各種管理用の情報等（ＰＯＳ番号、店番等）が表示される。
【００１３】
タッチパネルＡ１４は、ディスプレイＡ１２の画面に重畳して設けられる店員用の入力操作部である。タッチパネルＡ１４は、数量登録操作、値引き操作や取消し操作等であって、登録した商品の情報を修正する商品修飾操作の入力に用いられる。また、タッチパネルＡ１４は、客からタッチパネルＢ３４により商品修飾操作があった場合に、この操作を許可する許可操作部としても機能する。
【００１４】
固定スキャナＡ１６は、商品を登録するための店員用の商品登録部である。固定スキャナＡ１６は、商品に付与されたバーコードを読み取るスキャナで、店員に向かうように固定して配置される。固定スキャナＡ１６は、店員がかざした商品に付されたバーコードを読取る。
【００１５】
ハンディスキャナ１８は、固定スキャナＡ１６と同様な読取り機能を持つ、商品を登録するための商品登録部である。固定スキャナＡ１６にかざすことができないような、大きなサイズの商品あるいは重量のある商品を登録する場合に利用される。店員と客のいずれでも、使用できるように配置される。
【００１６】
多項目キーボード２０は、コンピュータ５０への入力操作用である。画面を設定する場合や処理条件等を変更する場合に使用される。スピーカ２２は、入力や操作結果を音声で告知するものである。入力や操作が正常になされたときと、入力や操作についてオペレータに注意喚起をする必要があるときなど状態に応じて異なる態様の音声出力を行う。
【００１７】
ディスプレイＢ３２は、登録された商品の情報等を客側に表示する客用の表示部である。ディスプレイＢ３２は、例えばＬＣＤであって、画面が客に向かうように配置される。ディスプレイＢ３２にも、商品の情報として登録された商品の名称、単価、数量などが表示されるが、ディスプレイＢ３２には、ディスプレイＡ１２に表示される各種管理用の情報は表示されない。
【００１８】
タッチパネルＢ３４は、ディスプレイＢ３２の画面に重畳して設けられる客用の入力操作部である。タッチパネルＢ３４は、数量登録操作、値引き操作や取消し操作の入力に用いられる。
【００１９】
固定スキャナＢ３６は、商品を登録するための客用の商品登録部である。固定スキャナＢ３６は、固定スキャナＡ１６と同様に商品に付与されたバーコードを読み取るスキャナで、客に向かうように固定して配置される。固定スキャナＢ３６は、客がかざした商品に付されたバーコードを読取る。
【００２０】
コンピュータ５０は、ディスプレイＡ１２、タッチパネルＡ１４、固定スキャナＡ１６、ハンディスキャナ１８、多項目キーボード２０、スピーカ２２、ディスプレイＢ３２、タッチパネルＢ３４、固定スキャナＢ３６に接続され、これらを制御するものである。
【００２１】
コンピュータ５０は、ＣＰＵ５２、ＲＡＭ５４、ＨＤＤ５６、通信インターフェース５８、グラフィック処理装置６０、入出力インターフェース６２を内部に有し、これらはバスラインで接続される。
【００２２】
ＣＰＵ５２は、プログラムを読込んで、ディスプレイＡ１２等の接続された装置を制御する装置である。ＲＡＭ５４は、一時的な記憶装置で、ＣＰＵ５２に実行させるためのアプリケーションプログラムや、グラフィック用のデータが一時的に記憶され、あるいはワーキングエリアとして機能する。ＨＤＤ５６には、商品の登録処理を実行するためのアプリケーションプログラムが格納される。
【００２３】
グラフィック処理装置６０は、ＣＰＵ５２からの命令に従って、ディスプレイＡ１２に表示させる店員用の商品登録画面、ディスプレイＢ３２に表示させる客用の商品登録画面を作成して、画像信号に変換して出力する。
【００２４】
通信インターフェース５８は、キャッシャユニット７０やＰＯＳサーバ８０間でデータの送受信を行うものである。例えば、LAN(Local Area Network)やＵＳＢ（Universal Serial Bus）の接続形式である。
【００２５】
入出力インターフェース６２は、タッチパネルＡ１４、固定スキャナＡ１６、ハンディスキャナ１８、多項目キーボード２０、スピーカ２２、タッチパネルＢ３４、固定スキャナＢ３６に接続され、これらとコンピュータ５０間でデータの送受信を行うものである。
チェッカユニット１０において、固定スキャナＡ１６及び固定スキャナＢ３６によって商品のバーコードが読取られる。そして、ＣＰＵ５２は読み取られたバーコードに対応する商品の種類をＰＯＳサーバ８０のデータベース（商品マスタ）を参照して特定し、特定した商品の情報を表示する画面を作成して、作成した画面をディスプレイＡ１２とディスプレイＢ３２に表示する。また、ＣＰＵ５２は、タッチパネルＡ１４及びタッチパネルＢ３４からの入力操作に応じて、商品の情報の修飾(修正)を行い、修飾した商品の情報を表示する。
【００２６】
キャッシャユニット７０は、主として販売代金の受領作業をおこなうためのユニットである。キャッシャユニット７０は、自動釣銭機、キャッシュドロア、キーボード、ディスプレイ、プリンタ等を有する。
【００２７】
自動釣銭機は、顧客（買い物客）から受け取った硬貨の入金と、釣銭の出金とをおこなうものである。キャッシュドロアは、硬貨および紙幣を収納する収納庫である。ディスプレイは、取引作業をおこなうための所定の画面を表示する。プリンタは、客との取引結果をロール紙に印字してレシートを発行する。
【００２８】
図２は、店舗に設置されたＰＯＳ装置１の具体的な利用場面を示す図である。レーン台１３０は、細長いテーブルで、中央の位置にチェッカユニット１０が設置される。チェッカユニット１０の左右のスペースが、客が持参した買い物かごや、買い物かごに投入された商品を置くためのスペースになる。
【００２９】
レーン台１３０の奥にいるのが店員１００で、レーン台１３０の手前にいるのが客１２０である。店員用の固定スキャナＡ１６及びディスプレイＡ１２は、いずれも支柱に取り付けられ、固定スキャナＡ１６が低い位置に垂直な向きで配置され、その上に薄型のディスプレイＡ１２が配置される。固定スキャナＡ１６の読取面及びディスプレイＡ１２の画面がいずれも店員１００に向く方向に配置される。また、多項目キーボード２０は、ディスプレイＡ１２の横に配置される。本図では、固定スキャナＡ１６及びディスプレイＡ１２の背面が示される。
【００３０】
客用の固定スキャナＢ３６及びディスプレイＢ３２は、固定スキャナＡ１６及びディスプレイＡ１２の逆側に配置される。固定スキャナＢ３６が低い位置で、その上にディスプレイＢ３２が配置される。固定スキャナＢ３６及びディスプレイＢ３２いずれも、固定スキャナＢ３６の読取面及びディスプレイＢ３２の画面がいずれも客１２０に向く方向に配置される。
【００３１】
レーン台１３０の右端の奥側で、店員１００の(客１２０から見て)右横に、キャッシャユニット７０が設置される。手前側にキーボード及びディスプレイ、奥側にプリンタが配置される。キーボードの下部に、自動釣銭機及びキャッシュドロアが設けられる。支払操作は、店員１００により行われる。
【００３２】
商品の売上登録の具体的な処理を図３〜６のフローチャートを用いて説明する。この図３〜６の処理は、チェッカユニット１０のコンピュータ５０によって主に実行される。図３は、売上登録の全体処理の手順を説明するフローチャートである。
【００３３】
ＰＯＳ装置１を立ち上げて、売上登録全体処理を開始する（ステップＳ１０）。客のスキャナ利用の設定処理を行う（ステップＳ１２）。
スキャナ利用に関する商品登録モードには、店員用の固定スキャナＡ１６のみを機能させて商品の登録を行うモード（ノーマルスキャンモード）と、客用の固定スキャナＢ３６も機能させて商品の登録を行うモード（ツインスキャンモード、客のスキャナ利用）の２種類が用意され、コンピュータ５０は、店長からの指示(利用宣言)に応じて商品登録モードをいずれかに設定する。例えば、買い物客が多くレジ待ちの時間が長くなると予想される日には、商品登録モードをツインスキャンモードに設定し、それ以外の日には、ノーマルスキャンモードに設定することができる。状況に応じて、客のスキャナ利用を、使い分けることができる。
【００３４】
図４は、客のスキャナ利用の設定処理の手順を説明するフローチャートである。客のスキャナ利用の設定処理を開始する（ステップＳ３０）。客のスキャナ利用宣言の有無を判断する（ステップＳ３２）。利用宣言とは、コンピュータ５０に対する、例えばその店舗の店長からの指示入力である。客のスキャナ利用宣言があったと判断すると（ステップＳ３２ＹＥＳ）、客のスキャナ利用のための設定として、客利用のフラグをＯＮに設定し、客側スキャナ（固定スキャナＢ３６）を利用可能にし、画面レイアウトなどを変更する処理を行う（ステップＳ３６）。ディスプレイＢ３２、タッチパネルＢ３４、固定スキャナＢ３６を立ち上げる。そして、客のスキャナ利用の設定処理を終了する（ステップＳ３８）。
【００３５】
店長からその旨の指示入力がなければ、客のスキャナ利用宣言がないと判断して（ステップＳ３２ＮＯ）、客のスキャナ利用なしとして、客操作フラグをＯＦＦに設定する（ステップＳ３４）。そして、客のスキャナ利用の設定処理を終了する（ステップＳ３８）。
【００３６】
図３に戻る。商品登録モードを設定した後は、商品登録ループに入る（ステップＳ１４）。図５（Ａ）、図５（Ｂ）は、店員側での商品登録ループの手順を説明するフローチャートである。図６は、客側での商品登録ループの手順を説明するフローチャートである。商品登録モードとして、客のスキャナ利用（ツインスキャンモード）が設定されている場合には、図５と図６の処理が並行して行われる。図５と図６で示す処理は、主にＣＰＵ５２によって実行される。
【００３７】
図５の店員側での商品登録ループから説明する。商品登録ループを開始する（ステップＳ４０）。商品の登録処理は、小計キーの押下により終了するので、小計キーの押下を判断する（ステップＳ４２）。小計キーは、チェッカユニット１０のキーボードに含まれる。
【００３８】
小計キーの押下がないと判断する（ステップＳ４２ＮＯ）、客のスキャナ利用が設定されているかを判断する（ステップＳ４６）。客操作フラグのＯＮ／ＯＦＦで判断する。ステップＳ４６で、客のスキャナ利用が設定されていると判断すると（ステップＳ４６ＹＥＳ）、店員と客の両方による買上げ商品の登録（スキャニングとも呼ぶ）が行われる。買物客は、買上げ商品をＰＯＳシステムのレジに持ってきて、レーン台１３０に置く。レーン台１３０に置かれた商品が、店員は固定スキャナＡ１６によって、客は固定スキャナＢ３６で、適宜分担して登録が行われる。
【００３９】
店員が買上げ商品の一部を、１づつ固定スキャナＡ１６の前にかざす。この操作により、商品スキャニングが行われる（ステップＳ６０）。商品がかざされると、固定スキャナＡ１６によって商品のバーコードが読取られ、ＣＰＵ５２は読み取られたバーコードに対応する商品の種類をＰＯＳサーバ８０のデータベース（商品マスタ）を参照して特定し、特定した商品の情報を表示する画面を作成して、作成した画面をディスプレイＡ１２とディスプレイＢ３２に表示する。
【００４０】
図７は、ツインスキャンモード（客のスキャナ利用）における、店員用の表示部（ディスプレイＡ１２）と客用の表示部（ディスプレイＢ３２）に表示される画面を並べて示す図である。図７（Ａ）が、店員用の表示部（ディスプレイＡ１２）に表示される画面で、図７（Ｂ）が、客用の表示部（ディスプレイＢ３２）に表示される画面である。
【００４１】
図７（Ａ）に示す店員用の画面では、上から、管理情報、登録された商品の情報、金銭情報が表示され、そして一番下に入力ボタンが横一列に表示される。管理情報は、日時やＰＯＳ装置の担当者あるいは当該ＰＯＳ装置の管理番号である。
【００４２】
登録された商品の情報は、商品名、単価、数量、値引きに関する情報である。ディスプレイＡ１２画面には、店員側の固定スキャナＡ１６及び客側の固定スキャナＢ３６で登録された商品が混在して表示される。表示の順番は、登録の順番である。ただし、店員側・客側のいずれのスキャナで登録された商品であるかが区別できるように表示される。例えば、符号２００で示すＮｏ２，５の商品が客側の固定スキャナＢ３６で登録された商品で、他の商品が店員側の固定スキャナＡ１６で登録された商品とし、Ｎｏ２，５の番号は他の番号とは違う色例えば赤色で表示される。スキャナの区別の手段としては、色だけでなく、番号の形状あるいは大きさを変えるようにしてもよい。また、右側が店員側で登録された商品、左側が客側で登録された商品というように、商品の表示領域を左右あるいは上下に分けて表示されるようにしてもよい。さらに、ハンディスキャナ１８は、店員用客用の区別がないので、ハンディスキャナ１８で登録された商品も、他のスキャナで登録された商品と区別がつくように表示される。
【００４３】
また、登録後に取消された商品には、商品の欄に２重線を引いて示す（符号２０２で示すＮｏ３）。表示される金銭情報は、合計金額、税金、値引き合計等である。入力ボタンとして、中央から左側にジャーナル照会等の各処理を指定するボタンが配置され、右側に商品修飾操作用のボタンが配置される。商品修飾操作については後述する。
【００４４】
図７（Ｂ）に示す客用の画面（ディスプレイＢ３２）では、登録された商品の情報が主に表示され、画面の一番下に商品修飾操作用のボタンが横一列に表示される。客用の画面では、店員用の画面で表示される管理情報や金銭情報は表示されない。
【００４５】
店員用の画面と同様に客用の画面にも、店員側の固定スキャナＡ１６及び客側の固定スキャナＢ３６で登録された商品がまとめて、登録の順番に表示される。店員用の表示部の場合と同様に、店員側・客側のいずれのスキャナで登録された商品であるかが区別できるように表示される。例えば、客側の固定スキャナＢ３６で登録されたＮｏ２，５の商品について、符号２００で示すように異なる色で表示される。なお、客用の画面には、店員が登録した商品は表示せずに、客が登録した商品の情報のみを表示するようにしてもよい。このようにすれば、客が自分が登録した商品を確認しやすくなる。
【００４６】
商品修飾操作とは、例えば、数量操作、取消操作、値割引操作であって、商品のスキャニング中に、登録された商品情報に修正を加える処理をするようＣＰＵ５２に指示する操作である。商品修飾操作用のボタンとして、タッチパネルＡ１４には、左から、数量登録ボタン２１０、取消承認ボタン２１２及び指定値割引ボタン２１４の各ボタンが配置される。同様にタッチパネルＢ３４には、左から、数量登録ボタン２２０、商品取消ボタン２２２及び値割引ボタン２２４が配置される。
【００４７】
図７（Ａ）に示す店員用の画面の数量登録ボタン２１０は、同じ商品が複数ある場合に数量登録操作をして、何度もスキャン操作する手間を省くためのボタンである。店員側の固定スキャナＡ１６で登録された商品は、店員が数量登録ボタン２１０に押下（タッチ）することで数量登録の処理がされる。また、客側の固定スキャナＢ３６で登録された商品につき客側のタッチパネルＢ３４で数量登録ボタン２２０が押下された場合には、店員により数量登録ボタン２１０が押下されることで承認される。
【００４８】
取消承認ボタン２１２は、いったん登録された商品を取消指示するボタンである。取消承認ボタン２１２は、店員側で登録された商品の取消しをする場合と、客側で登録された商品について商品取消ボタン２２２の操作がされた場合にそれを承認するためのボタンである。客側で登録した商品を取消したい時は、客側の表示画面で取消したい商品を選択してから、商品取消ボタン２２２を押下する。すると、店員側の表示画面に、その旨の依頼が表示され、店員は客が取消したい該当商品を画面より選択し、取消承認ボタン２１２を押下することで、取消が確定する。
【００４９】
指定値割引ボタン２１４は、登録した商品に値引き対象商品であることを示すシールが貼られている場合に、値割引処理を指示するボタンである。店員側で登録された商品の値引きをする場合と、客側で登録された商品について値割引ボタン２２４の押下がされた場合にそれを承認するためのボタンである。商品登録直後に客側の表示画面内の値割引ボタン２２４を、客が押下すると店員側表示画面にその旨の依頼が表示され、店員は客が登録した該当商品を画面より選択し指定値割引ボタン２１４を押下すると、値引きが確定する。
【００５０】
図５（Ａ）のステップＳ６０に戻る。商品のスキャニング中に店員により商品修飾操作が行われる場合がある。商品のスキャニング中に、商品修飾操作の有無を判断する（ステップＳ６２）。店員による商品修飾操作は、タッチパネルＡ１４（ディスプレイＡ１２）の数量登録ボタン２１０、取消承認ボタン２１２または指定値割引ボタン２１４の押下操作である。店員により商品修飾操作があったと判断すると（ステップＳ６２ＹＥＳ）、押下されたボタンに応じて商品修飾処理を行う（ステップＳ６４）。商品修飾処理は、具体的には、登録商品の再計算ならびに、画面再表示である。例えば、取消操作がされた場合には、図７（Ａ）及び（Ｂ）で示すように、商品欄２０２（Ｎｏ３）に２重線が引かれた画面に更新する。なお、画面の再表示は、店員側の表示部だけでなく、客側の表示部についても行われる。商品修飾操作がないと判断すると（ステップＳ６２ＮＯ）、ステップＳ６４をジャンプする。
【００５１】
次に、客側からの商品修飾許可宣言（ボタン押下）の有無を判断する（ステップＳ６６）。ここで、図６を用いて、客側での商品登録を説明する。客側の商品登録ループを開始する（ステップＳ８０）。客が買上げ商品の一部を、１つづつ固定スキャナＢ３６の前にかざす操作によって、商品スキャニングが行われる（ステップＳ８２）。客によって固定スキャナＢ３６に商品がかざされると、固定スキャナＢ３６によって商品のバーコードが読取られ、ＣＰＵ５２は読み取られたバーコードに対応する商品の種類をデータベースで特定し、特定した商品の情報をディスプレイＡ１２とディスプレイＢ３２に表示する。
【００５２】
商品のスキャニング中に客により商品修飾操作が行われる場合がある。客による商品修飾操作の有無を判断する（ステップＳ８４）。タッチパネルＢ３４で、数量登録ボタン２２０、商品取消ボタン２２２及び値割引ボタン２２４のいずれかが、客によって押下操作された場合である。商品修飾操作がないと判断すると（ステップＳ８４ＮＯ）、ステップＳ８２に戻り、商品のスキャニングを続行する。
【００５３】
商品修飾操作があったと判断すると（ステップＳ８４ＹＥＳ）、店員側に商品修飾許可依頼を出す（ステップＳ８６）。この客からの商品修飾許可依頼が、店員への商品修飾許可宣言となる。図５（Ｂ）に戻り、客側からの商品修飾許可宣言（ボタン押下）ありと判断すると（ステップＳ６６ＹＥＳ）、店員側のディスプレイＡ１２に確認・操作依頼を表示させる（ステップＳ６８）。確認・操作依頼の表示例としては、ディスプレイＡ１２で、客から商品修飾操作があった商品を点滅表示させることである。表示だけでなく、スピーカ２２から特定の音を出すようにしてもよい。
【００５４】
そして、店員によって確認・操作がされるのを待つ（ステップＳ７０）。客からの依頼の種類に応じて、数量登録ボタン２１０、取消承認ボタン２１２または指定値割引ボタン２１４のいずれかが押下操作されるのを待つ。店員側の確認・操作の有無を判断し（ステップＳ７２）、店員側の確認・操作が有るまでステップＳ７０、Ｓ７２をループする。店員側の確認・操作があったと判断すると（ステップＳ７２ＹＥＳ）、押下されたボタンに応じて商品修飾処理を行う（ステップＳ７４）。商品修飾処理は、具体的には、登録商品の再計算ならびに、画面再表示であり詳細は省略する。その後、ステップＳ４２に戻る。
【００５５】
客側も同様で、店員側に商品修飾許可依頼を出した後（ステップＳ８６）は、店員によって確認・操作がされるのを待ち（ステップＳ８８）、店員側の確認・操作の有無を判断し（ステップＳ９０）、店員側の確認・操作が有るまでステップＳ８８、Ｓ９０をループする。店員側の確認・操作があったと判断すると（ステップＳ９０ＹＥＳ）、押下されたボタンに応じて商品修飾処理を行う（ステップＳ９２）。商品修飾処理は、ステップＳ７４と同様である。その後、ステップＳ８２に戻り、商品のスキャニングを続行する。
【００５６】
また、ステップＳ６６に戻り、客側からの商品修飾許可宣言（ボタン押下）がないと判断すると（ステップＳ６６ＮＯ）、ステップＳ４２に戻る。
このように、商品修飾操作に関しては、客側の操作だけでは処理を確定せずに、店員側の承認操作によって処理を確定するようにしている。これは、商品登録操作（スキャン）が商品をかざすだけであるのに比べて商品修飾操作ではボタン操作を伴うために、客の操作だけで処理を確定してしまうと、ミスが起きる可能性があるからである。
【００５７】
図５（Ａ）のステップＳ４６に戻る。客のスキャナ利用が設定されていないと判断すると（ステップＳ４６ＮＯ）、店員用の固定スキャナＡ１６のみで、商品スキャニング処理を行う（ステップＳ４８）。ノーマルスキャンモードである。ステップＳ６２と同様に、商品修飾操作の有無を判断する（ステップＳ４８）。店員によって商品修飾操作がされたと判断すると（ステップＳ５０ＹＥＳ）、操作キーの種類に応じて商品修飾処理を行う（ステップＳ５２）。その後、ステップＳ４２に戻る。商品修飾操作がされないと判断すると（ステップＳ５０ＮＯ）、ステップＳ５２をジャンプして、ステップＳ４２に戻る。ディスプレイＡ１２には通常画面を表示させる。
【００５８】
買上げ商品の登録（スキャニング）が終了すると店員により小計キーが押下される。小計キーが押下されたと判断すると（ステップＳ４２ＹＥＳ）、支払登録処理へ進む（ステップＳ４４）。ここで、商品登録ループが終了する。図３に戻り、支払登録処理が行われる（ステップＳ１６）。支払登録処理はキャッシャユニット７０で実行される。客は支払金を店員へ渡し、店員は、支払金を受取り、支払操作を行う。店員の支払操作によって支払登録処理が行われる。支払い操作の詳細は省略する。
【００５９】
支払登録処理を終えることで、一人の客の処理が完了する。そして、次の顧客がいるかを判断する（ステップＳ１８）。次の顧客がいるかと判断すると（ステップＳ１８ＹＥＳ）、ステップＳ１４に戻る。次の顧客がいないと判断すると（ステップＳ１８ＮＯ）、売上登録全体処理を終了する（ステップＳ２０）。
【００６０】
なお、上記実施形態では、客側で登録できる商品の種類に特に制限を設けなかったが、年齢確認必要商品（例：酒、タバコ）あるいは販売制限商品  （例：薬）については、店員のみが登録と可能で、客側のスキャナでは登録できないよう制御してもよい。あるいは、商品修飾操作と同様に店員の承認事項としてもよい。また、バーコードがない商品（野菜、果物）については、店員のみがキーボードで登録させるようにする。
【００６１】
以上説明した実施形態により奏せられる効果を以下に列記する。
１）一取引（一商品登録）の商品登録操作（スキャニング）において、店員と客による同時登録操作を可能にすることによって、商品の登録スピードを大幅に向上させることができる。
２）商品の登録スピードを大幅に向上させることにより、客のレジ待ちの時間が短縮される。また、店員の商品登録作業負荷が軽減される。
３）少なくとも店員の表示部には店員が登録した商品と客が登録した商品の両方が、区別して表示されるので、店員は登録商品の全てを把握することと、客が登録した商品を判断することの両方ができる。
４）客の登録している商品を店員が表示画面で確認することで、商品登録不正を防止することができる。
５）値引き等の商品修飾操作は、客からも操作指示ができ、店員操作により処理を確定するものとしたので、登録スピードと登録のミス防止を両立できる。
６）客用に設けた表示部に、客自らが登録した商品が表示されるので、操作に不慣れな客でも、２重登録等のミスが防止できる。
７）通常のレーンに客用のスキャナと表示部が追加できればよいので、店舗に大幅な設備投資をすることなく、商品登録スピードを向上させることができる。
【００６２】
また、上記説明した実施形態につき、以下の変形が可能である。
１）客側の表示部には、店員が登録した商品は表示せずに、客が登録した商品のみを表示するようにしてもよい。
２）客の登録操作のインセンティブを高めるために、客のスキャン数に応じて、客にポイントを付加するようにしてもよい。
３）商品登録部として、店員用・客用いずれも固定式のスキャナで説明したが、固定式に限らず、いずれかあるいは両方ともハンディスキャナであっても、適用可能である
４）複数のスキャナの使用者として、店員用と客用で説明したが、客用で説明したスキャナを研修生用のスキャナとしてもよい。ベテランによるサポートができるので、ＰＯＳ操作に不慣れな研修生でも安心してレジを担当させることができる。
５）スキャナは、２台に限るものではなく、３台以上あってもよい。
【００６３】
また、上記実施形態では、商品登録の主な処理を、ＣＰＵによるソフトウェア処理によって実行する例で説明したが、処理の一部あるいは全てをハードウェアにより実現するようにしてもよい。
【００６４】
なお、発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００６５】
１  ＰＯＳ装置
１０  チェッカユニット
１２  ディスプレイＡ
１４  タッチパネルＡ
１６  固定スキャナＡ
１８  ハンディスキャナ
２０  多項目キーボード
２２  スピーカ
３２  ディスプレイＢ
３４  タッチパネルＢ
３６  固定スキャナＢ
５０  コンピュータ
５２  ＣＰＵ
５４  ＲＡＭ
５６  ＨＤＤ
５８  通信インターフェース
６０  グラフィック処理装置
６２  入出力インターフェース
７０  キャッシャユニット
８０  ＰＯＳサーバ
１００  店員
１２０  客
１３０  レーン台
【図１】
2014021730.tif 000003
【図３】
2014021730.tif 000004
【図４】
2014021730.tif 000005
【図５Ａ】
2014021730.tif 000006
【図５Ｂ】
2014021730.tif 000007
【図６】
2014021730.tif 000008
【図２】
2014021730.tif 000009
【図７】
2014021730.tif 000010